(57)【要約】【課題】監視カメラで撮影されたものを記録する記録装置をかご内操作盤に設ける場合に、かご内操作盤におけるスイッチのレイアウトの変更を行わずに済み、かつ、乗かごから昇降路側に突出するかご内操作盤の寸法の調整を行わずに済むようにすること。【解決手段】かご内操作盤10の関係者用操作領域10bが設けられた箱状部31と、箱状部31から下方向に延びて設けられ、記録装置50が取り付けられた取付部32とを有する。記録装置50は平たい直方体状に形成された筐体51を有し、この筐体51の厚さ方向における２つの面のうちの一方の面を取付部32に添え付けられた状態で取付部32に取り付けられる。箱状部31の取付部32側の壁部には窓31bが貫通して設けられ、筐体51の上端部51aには窓31bから箱状部31の内側に臨んで位置する操作パネルが設けられ、筐体51の下端部51bにはコネクタ付ケーブル61,62等が設けられている。【選択図】図３
2014210629.tif 000002
【特許請求の範囲】
【請求項１】
乗かごに設けられ、乗かご内の様子を撮影して撮影信号に変換する監視カメラと、かご内操作盤に設けられ、前記監視カメラからの、前記監視カメラにより撮影されたものを前記撮影信号に基づいて記録媒体に記録する記録装置とを有し、
前記かご内操作盤は、乗かごからエレベータの昇降路側に突出して設けられるものであって、乗かご内の乗客により操作されるスイッチが設けられた乗客用操作領域と、この乗客用操作領域の下方に位置し、乗客以外のエレベータの関係者により操作されるスイッチが設けられた関係者用操作領域と、前記関係者用操作領域を覆い隠す施錠可能な扉とを有し、
前記記録装置は、前記扉が開いた状態において操作可能となるよう前記かご内操作盤内に位置するエレベータ乗かご内監視装置において、
前記かご内操作盤の盤面側で開口した有底の箱状を成し、底部に前記関係者用操作領域が設けられた箱状部と、前記箱状部から下方向に延びて設けられ、前記記録装置が取り付けられた取付部とを有し、
前記記録装置は平たい直方体状に形成された筐体を有し、この筐体の厚さ方向において対を成す２つの面のうちの一方の面を前記取付部に添え付けられた状態で、その取付部に取り付けられ、
前記箱状部の前記取付部側の壁部には窓が貫通して設けられ、
前記取付部に取り付けられた状態における前記筐体の上端部には、前記窓から前記箱状部の内側に臨んで位置する操作パネルが設けられ、
前記取付部に取り付けられた状態における前記筐体の下端部には、先端部にコネクタを有し、このコネクタに与えられた電力を前記筐体内に導く電力入力ケーブルと、先端部にコネクタを有し、このコネクタに与えられた前記撮影信号を前記筐体内に導く撮影信号入力ケーブルとを含む複数のコネクタ付ケーブルが設けられた
ことを特徴とするエレベータ乗かご内監視装置。
【請求項２】
請求項１に記載のエレベータ乗かご内監視装置において、
前記複数のコネクタ付ケーブルはそれぞれ、異なる長さのコネクタ付ケーブルと隣り合って位置する
ことを特徴とするエレベータ乗かご内監視装置。
【請求項３】
請求項１または２に記載のエレベータ乗かご内監視装置において、
前記記録媒体は、メモリカードであり、
前記記録装置は、前記メモリカードが挿入されて装着されるカードコネクタを有し、このカードコネクタに対して前記メモリカードを挿入するための挿入口が、前記操作パネルに設けられた
ことを特徴とするエレベータ乗かご内監視装置。
【請求項４】
請求項１〜３に記載のエレベータ乗かご内監視装置において、
前記箱状部の下部には、前記操作パネルを覆い隠す姿勢と、その操作パネルを露呈する姿勢とに変化可能にカバー部材が設けられた
ことを特徴とするエレベータ乗かご内監視装置。
【発明の詳細な説明】
【技術分野】
【０００１】
本発明は、乗かご内の様子を監視カメラで撮影して記録装置で保存するエレベータ乗かご内監視装置に関する。
【背景技術】
【０００２】
一般に、エレベータの乗かごに設けられたかご内操作盤は、乗かご内において乗客に操作されるスイッチ、すなわち行き先階の登録、かごドアの開閉を行うためのボタンスイッチが設けられた乗客用操作領域と、保守点検の作業者や管理者等の乗客以外の関係者に操作されるスイッチ、例えば乗かごを低速走行させるためのスイッチや、乗かご内の空調を作動させるためのスイッチ等が設けられた関係者用操作領域とを有する。関係者用操作領域は、かご内操作盤の盤面側で開口した箱状部分の底部に設けられている。かご内操作盤には、関係者用操作領域を覆い隠す施錠可能な扉が設けられている。
【０００３】
乗かごには、乗かご内で悪戯書きや損壊行為等の悪事を行った者等を撮影して記録するエレベータ乗かご内監視装置が設けられている。このエレベータ乗かご内監視装置は、エレベータの乗かご内の様子を撮影する監視カメラと、この監視カメラにより撮影されたものを記録媒体に記録する記録装置とを有する。この種の技術としては特許文献１，２に開示されたものがある。
【０００４】
特許文献１には、エレベータ乗かご内防犯装置が開示されている。このエレベータ乗かご内防犯装置は、乗かご内にビデオカメラ（監視カメラ）を備え、このビデオカメラで撮影した映像をビデオテープ等の収録体（記録媒体）に収録するようにしたエレベータ乗かご内防犯装置において、乗かごの運転盤（かご内操作盤）内に、収録体への映像収録を行わせるビデオデッキ（記録装置）が収納されている。
【０００５】
特許文献２には、エレベータかご内映像記録装置が開示されている。このエレベータかご内映像記録装置は、撮影装置（監視カメラ）と記憶装置（記録装置）とで構成され、エレベータかご内の撮影及び記録が可能なエレベータかご内映像記録装置であって、記憶装置はハードディスクドライブを備えており、ハードディスクドライブはエレベータかご内から開閉可能な点検扉を備えた点検箱内に設けられている。
【先行技術文献】
【特許文献】
【０００６】
【特許文献１】特開平１０−３１０３４７号公報
【特許文献２】特開２００５−２３９３５５号公報
【発明の概要】
【発明が解決しようとする課題】
【０００７】
かご内操作盤において関係者操作領域にはスイッチが設けられているので、エレベータ乗かご内監視装置の記録装置をかご内操作盤に設ける場合には、それらのスイッチのレイアウトの変更を行わずに済むことが好ましい。また、エレベータの昇降路内には種々の機器が設けられていて、かご内操作盤は乗かごから昇降路側に突出して設けられているので、かご内操作盤に記録装置を設ける場合には当然に、かご内操作盤が昇降路内の機器に接触しない寸法となるように、かご内操作盤に対する記録装置の配置および記録装置の寸法を設定する必要がある。これらのことは、特許文献１,２に開示の技術において考慮されていなかった。
【０００８】
本発明は前述の事情を考慮してなされたものであり、その目的は、監視カメラで撮影されたものを記録する記録装置をかご内操作盤に設ける場合に、かご内操作盤におけるスイッチのレイアウトの変更を行わずに済み、かつ、乗かごから昇降路側に突出するかご内操作盤の寸法の調整を行わずに済むエレベータ乗かご内監視装置を提供することにある。
【課題を解決するための手段】
【０００９】
前述の目的を達成するために、本発明に係るエレベータ乗かご内監視装置は次のように構成されている。
【００１０】
本発明に係るエレベータ乗かご内監視装置は、乗かごに設けられ、乗かご内の様子を撮影して撮影信号に変換する監視カメラと、かご内操作盤に設けられ、前記監視カメラからの、前記監視カメラにより撮影されたものを前記撮影信号に基づいて記録媒体に記録する記録装置とを有し、前記かご内操作盤は、乗かごからエレベータの昇降路側に突出して設けられるものであって、乗かご内の乗客により操作されるスイッチが設けられた乗客用操作領域と、この乗客用操作領域の下方に位置し、乗客以外のエレベータの関係者により操作されるスイッチが設けられた関係者用操作領域と、前記関係者用操作領域を覆い隠す施錠可能な扉とを有し、前記記録装置は、前記扉が開いた状態において操作可能となるよう前記かご内操作盤内に位置するエレベータ乗かご内監視装置において、前記かご内操作盤の盤面側で開口した有底の箱状を成し、底部に前記関係者用操作領域が設けられた箱状部と、前記箱状部から下方向に延びて設けられ、前記記録装置が取り付けられた取付部とを有し、前記記録装置は平たい直方体状に形成された筐体を有し、この筐体の厚さ方向において対を成す２つの面のうちの一方の面を前記取付部に添え付けられた状態で、その取付部に取り付けられ、前記箱状部の前記取付部側の壁部には窓が貫通して設けられ、前記取付部に取り付けられた状態における前記筐体の上端部には、前記窓から前記箱状部の内側に臨んで位置する操作パネルが設けられ、前記取付部に取り付けられた状態における前記筐体の下端部には、先端部にコネクタを有し、このコネクタに与えられた電力を前記筐体内に導く電力入力ケーブルと、先端部にコネクタを有し、このコネクタに与えられた前記撮影信号を前記筐体内に導く撮影信号入力ケーブルとを含む複数のコネクタ付ケーブルが設けられたことを特徴とする。
【発明の効果】
【００１１】
本発明に係るエレベータ乗かご内監視装置において、記録装置の筐体は、関係者用操作領域が設けられた箱状部の下方に位置する取付部に取り付けられるものである。つまり、乗客用操作領域および関係者用操作領域の何れにおいてもスイッチのレイアウトの変更が不要な位置に、記録装置が設けられることになる。
【００１２】
また、筐体は平たい直方体状に形成され、記録装置は、筐体の厚さ方向において対を成す２つの面のうちの一方の面を取付部に添え付けられた状態で取付部に取り付けられる。そして、取付部に取り付けられた状態における筐体の上端部には、箱状部に設けられた窓から箱状部の内側に臨んで位置する操作パネルが設けられていて、同状態における筐体の下端部には、電力入力ケーブルと、撮影信号入力ケーブルとを含む複数のコネクタ付ケーブルが設けられている。つまり、記録装置は、かご内操作盤の昇降路側への突出方向に関して筐体を薄型化が行いやすいものとなっている。これにより、かご内操作盤に記録装置を設ける場合であっても、昇降路側に突出するかご内操作盤の寸法を調整することが不要になる。
【００１３】
これらのことから、本発明に係るエレベータ乗かご内監視装置は、記録装置をかご内操作盤に設ける場合に、かご内操作盤におけるスイッチのレイアウトの変更を行わずに済み、かつ、乗かごから昇降路側に突出するかご内操作盤の寸法の調整を行わずに済む。
【図面の簡単な説明】
【００１４】
【図１】本発明の一実施形態に係るエレベータ乗かご内監視装置が適用されるエレベータのかご内操作盤を、乗かご内から見た場合の図である。
【図２】本発明の一実施形態に係るエレベータ乗かご内監視装置の乗かごに対する配置の概略図である。
【図３】図２に示した記録装置がかご内操作盤に設けられた状態を示す図である。
【図４】本発明の一実施形態に係るエレベータ乗かご内監視装置に備えられた記録装置の正面図である。
【発明を実施するための形態】
【００１５】
以下に、本発明の一実施形態に係るエレベータ乗かご内監視装置について図１〜図４を用いて説明する。
【００１６】
図１に示すように、乗かご１には、乗かご１の出入口１ａを開閉するかごドア２が設けられている。乗かご１の上部には、かごドア２と乗場ドア（図示しない）とを一体的に開閉させるドア開閉装置３が設けられている。乗かご１の出入口１ａの右側方の壁には、かご内操作盤１０が設けられている。
【００１７】
かご内操作盤１０は、乗かご１内において乗客に操作されるスイッチが設けられた乗客用操作領域１０ａと、この乗客用操作領域の下方に位置し、保守点検の作業者や管理者等の乗客以外の関係者に操作されるスイッチが設けられた関係者用操作領域１０ｂと、関係者用操作領域１０ｂを覆い隠す施錠可能な扉１６とを有する。
【００１８】
乗客用操作領域に設けられたスイッチは、複数の行先階登録ボタンスイッチ１１、ドア開ボタンスイッチ１２、ドア閉ボタンスイッチ１３等である。行先階登録ボタンスイッチ１１、ドア開ボタンスイッチ１２およびドア閉ボタンスイッチ１３は何れも、押ボタンスイッチである。
【００１９】
行先階登録ボタンスイッチ１１は、操作ボタンを押圧操作されることによってかご呼びを行う。ドア開ボタンスイッチ１２は、操作ボタンを押圧されることによってかごドア２と乗場ドアを開くことを指令するドア開指令信号を出力するものである。ドア閉ボタンスイッチ１３は、操作ボタンを押圧操作されることによってかごドア２と乗場ドアを閉めることを指令するドア閉指令信号を出力するものである。
【００２０】
関係者用操作領域１０ｂに設けられたスイッチは、例えば低速走行スイッチ１４および空調スイッチ１５であり、これら低速走行スイッチ１４および空調スイッチ１５は何れも、シーソー状に可動な操作ボタンを有するロッカースイッチ（シーソースイッチ）である。
【００２１】
低速走行スイッチ１４は、操作ボタンの一端側を押圧操作されることによってオン状態となり、操作ボタンの他端側を押圧操作されることによってオフ状態になる。この低速走行スイッチ１４のオン状態は、乗かご１の走行速度が通常よりも低速に設定される状態であり、低速走行スイッチ１４のオフ状態は、乗かご１の走行速度が通常の走行速度に設定される状態である。
【００２２】
空調スイッチ１５も、操作ボタンの一端側を押圧操作されることによってオン状態となり、操作ボタンの他端側を押圧操作されることによってオフ状態になる。この空調スイッチ１５のオン状態は、換気扇（図示してない）および空調装置（図示してない）を作動させる状態であり、空調スイッチ１５のオフ状態は換気扇および空調装置を停止させる状態となる。
【００２３】
図２に示すように、乗かご１の天井裏１ｃには、ドア開指令信号、ドア閉指令信号に基づきドア開閉装置３を制御するドア制御装置（図示してない）、および、乗かご１内を照明する照明装置（図示してない）を制御する照明制御装置（図示してない）等の機器を収容した機器収容箱６と、乗かご１に搭載された電気機器（ドア開閉装置、ドア制御装置、照明装置、照明制御装置、監視カメラ４０（後述）、記録装置５０（後述）等）に供給される電力を出力する電源装置４を収容した電源装置収容箱５とが設けられている。
【００２４】
本実施形態に係るエレベータ乗かご内監視装置２０は、乗かご１の上部、例えば天井１ｂに設けられ、乗かご１内の様子を撮影して撮影信号に変換する監視カメラ４０と、かご内操作盤１０に収容され、監視カメラ４０により撮影されたものを監視カメラ４０からの撮影信号に基づいて記録する記録装置５０とを有する。
【００２５】
図３に示すように、エレベータ乗かご内監視装置２０は、かご内操作盤１０の盤面側で開口した有底の箱状を成し、底部３１ａに関係者用操作領域１０ｂが設けられた箱状部３１と、この箱状部３１から下方向に延びて設けられ、記録装置５０が取り付けられた取付部３２とを有する。
【００２６】
記録装置５０は平たい直方体状に形成された筐体５１を有し、この筐体５１の厚さ方向において対を成す２つの面のうちの一方の面を取付部３２に添え付けられた状態で、その取付部３２にネジ止めによって取り付けられている。そのネジ止めの構造は、雄ネジ８０と、筐体５１を厚さ方向に貫通して設けられ、雄ネジ８０が挿入される取付孔５６と、取付部３２に設けられ、取付孔５６に挿入された状態の雄ネジ８０が螺合する雌ネジ３２ａとを有する。取付孔５６は、雄ネジ８０が貫通して位置する小径部５６ａと、雄ネジ８０の先端部が位置する大径部５６ｂとを有する。取付部３２は、取付孔５６の大径部５６ｂに嵌合する突起であり、取付部３２に対して筐体５１を位置決めする位置決め部３２ｂを有する。この位置決め部３２ｂに、雄ネジ８０が螺合する雌ネジ３２ａが形成されている。
【００２７】
図３に示すように、箱状部３１の取付部３２側の壁部には、窓３１ｂが貫通して設けられている。そして、図４に示すように、取付部３２に取り付けられた状態における筐体５１の上端部５１ａには、窓３１ｂから箱状部３１の内側に臨んで位置する操作パネルが設けられている。つまり、記録装置５０は、扉１６が開いた状態において操作可能となるように、かご内操作盤１０内に位置する。具体的には、記録装置５０は、記録媒体であるメモリカード、例えばＳＤカード５７が挿入されて装着されるカードコネクタ５２を有し、このカードコネクタ５２に対してＳＤカード５７を挿入するための挿入口５２ａが、上端部５１ａに配置されている。また、上端部５１ａには、カードコネクタ５２からＳＤカード５７を排出させる際に押圧操作されるイジェクトボタン５５と、ＳＤカード５７がカードコネクタ５２に装着された状態であるか否か、記録装置５０の異常の有無をＬＥＤの発光により表示する表示装置５３と、ＳＤカード５７に保存されている映像データ（監視カメラ４０により撮影されたものの記録としてＳＤカードに保存されたデータ）を保守点検の作業者等が携帯端末で取得する際に、その携帯端末が接続される通信ポートとしての接続端子５４とが設けられている。
【００２８】
取付部３２に取り付けられた状態における筐体５１の下端部５１ｂには、先端部にコネクタを有する複数のコネクタ付ケーブル、すなわち、電力入力ケーブル６１と、撮影信号入力ケーブル６２と、異常信号出力ケーブル６３と、第１映像データ出力ケーブル７１と、第２映像データ出力ケーブル７２とが設けられている。
【００２９】
電力入力ケーブル６１は先端部にコネクタ６１ａを有し、このコネクタ６１ａに与えられた電力を筐体５１内に導くものである。図２に示すように、電源装置４からは電力出力ケーブル７が延びている。この電力出力ケーブル７の先端部にはコネクタ７ａが設けられている。記録装置５０は、電力入力ケーブル６１のコネクタ６１ａを電力出力ケーブル７のコネクタ７ａに接続されることによって、電源装置４から出力される電力を供給される状態となる。
【００３０】
図４に示すように、撮影信号入力ケーブル６２は先端部にコネクタ６２ａを有し、このコネクタ６２ａに与えられた撮影信号を筐体５１内に導くものである。図２に示すように、監視カメラ４０からは撮影信号出力ケーブル８が延びている。この撮影信号出力ケーブル８の先端部にはコネクタ８ａが設けられている。記録装置５０は、撮影信号入力ケーブル６２のコネクタ６２ａを、撮影信号出力ケーブル８のコネクタ８ａに接続されることによって、監視カメラ４０から出力された撮影信号を入力可能な状態となる。
【００３１】
図４に示すように、異常信号出力ケーブル６３は先端部にコネクタ６３ａを有し、記録装置５０に異常が発生したことを示す異常信号を、記録装置５０の外部に導くものである。エレベータは監視センタ（図示してない）との間で通信を行う通信装置（図示してない）を有する。記録装置５０は、異常信号出力ケーブル６３を通信装置に接続されることによって、異常信号を通信装置に送ることが可能な状態となる。通信装置は公衆回線を介して監視センタ（図示してない）と通信を行うものであり、記録装置５０からの異常信号に基づき異常発報を行う。
【００３２】
第１映像データ出力ケーブル７１は先端部にコネクタ７１ａを有し、ＳＤカード５７に保存された映像データを、記録装置５０の外部に導くものである。第２映像データ出力ケーブル７２は先端部にコネクタ７２ａを有し、ＳＤカード５７に保存された映像データを、記録装置５０の外部に導くものである。第１映像データ出力ケーブル７１および第２映像データ出力ケーブル７２の一方はかご内操作盤１０に設けられたモニタ（図示してない）に接続され、他方は監視室（図示してない）内のモニタに接続される。
【００３３】
電力入力ケーブル６１、撮影信号入力ケーブル６２、異常信号出力ケーブル６３、第１映像データ出力ケーブル７１、第２映像データ出力ケーブル７２はそれぞれ、異なる長さのケーブルと隣り合って位置する。具体的には、電力入力ケーブル６１、撮影信号入力ケーブル６２、異常信号出力ケーブル６３、第１映像データ出力ケーブル７１、第２映像データ出力ケーブル７２の並び順が、図４の左側から、電力入力ケーブル６１、異常信号出力ケーブル６３、撮影信号入力ケーブル６２、第１映像データ出力ケーブル７１、第２映像データ出力ケーブル７２の順番に設定されていて、電力入力ケーブル６１よりも異常信号出力ケーブル６３が長く、撮影信号入力ケーブル６２は第１映像データ出力ケーブル７１よりも長く、第２映像データ出力ケーブル７２は第１映像データ出力ケーブル７１よりも短く設定されている。
【００３４】
図４に示す電力入力ケーブル６１、撮影信号入力ケーブル６２、異常信号出力ケーブル６３、第１映像データ出力ケーブル７１、第２映像データ出力ケーブル７２の並び順、および、これらのケーブル６１〜６３，７１，７２の長さの関係は一例であり、ケーブル６１〜６３，７１，７２の並び順、および、ケーブル６１〜６３，７１，７２の長さの関係は、ケーブル６１〜６３，７１，７２がそれぞれ、異なる長さのケーブルと隣り合って位置することを満たせばよい。
【００３５】
電力入力ケーブル６１のコネクタ６１ａ、撮影信号入力ケーブル６２のコネクタ６２ａ、異常信号出力ケーブル６３のコネクタ６３ａ、第１映像データ出力ケーブル７１のコネクタ７１ａ、第２映像データ出力ケーブル７２のコネクタ７２ａにおいて、コネクタ７１ａ，７２ａは互いに同じ形状寸法のものであり、コネクタ６１ａ〜６３ａは何れもコネクタ７１ａ，７２ａとは形状寸法の異なるものであるとともに、互いに形状寸法が異なるものである。
【００３６】
図２に示すように、電力入力ケーブル６１の長さは、電力入力ケーブル６１と電力出力ケーブル７とのコネクタ６１ａ，７ａによる接続部が、電力出力ケーブル７の最下部よりも高く位置するよう設定されている。撮影信号入力ケーブル６２の長さは、撮影信号入力ケーブル６２と撮影信号出力ケーブル８とのコネクタ６２ａ，８ａによる接続部が、撮影信号出力ケーブル８の最下部よりも高く位置するよう設定されている。
【００３７】
図３に示すように、箱状部３１の下部には、カバー部材９０が設けられている。このカバー部材９０は、記録装置５０の上端部５１ａ、言い換えると操作パネル（ＳＤカード５７の挿入口５２ａ、イジェクトボタン５５、表示装置５３、接続端子５４）を覆い隠す閉姿勢と、その操作パネルを露呈する開姿勢とに変化可能に箱状部３１に設けられている。より詳細には、カバー部材９０は、箱状部３１の底部３１ａにヒンジ９１より矢印Ａ方向に回動可能に支持されている。
【００３８】
箱状部３１の取付部３２側の壁には、カバー部材９０が筐体５１の上端部５１ａに接触することを阻止するストッパ３１ｃが突出して設けられている。
【００３９】
本実施形態に係るエレベータ乗かご内監視装置２０によれば、次の効果を得られる。
【００４０】
本実施形態に係るエレベータ乗かご内監視装置２０において、記録装置５０の筐体５１は、関係者用操作領域１０ｂが設けられた箱状部３１の下方に位置する取付部３２に取り付けられるものである。つまり、乗客用操作領域１０ａおよび関係者用操作領域１０ｂの何れにおいてもスイッチのレイアウトの変更が不要な位置に、記録装置５０が設けられることになる。また、筐体５１は平たい直方体状に形成され、記録装置５０は、筐体５１の厚さ方向において対を成す２つの面のうちの一方の面を取付部３２に添え付けられた状態で取付部３２に取り付けられる。そして、取付部３２に取り付けられた状態における筐体５１の上端部５１ａには、箱状部３１に設けられた窓３１ｂから箱状部３１の内側に臨んで位置する操作パネル（ＳＤカード５７の挿入口５２ａ、イジェクトボタン５５、表示装置５３、接続端子５４）が設けられていて、同状態における筐体５１の下端部５１ｂには、電力入力ケーブル６１と、撮影信号入力ケーブル６２とを含む複数のコネクタ付ケーブル６１〜６３，７１，７２が設けられている。つまり、記録装置５０は、かご内操作盤１０の昇降路側への突出方向に関して、筐体５１を薄型化が行いやすいものとなっている。これにより、かご内操作盤１０に記録装置５０を設ける場合であっても、昇降路側に突出するかご内操作盤１０の外郭寸法を大きく調整することが不要になる。これらのことから、本実施形態に係るエレベータ乗かご内監視装置２０は、記録装置５０をかご内操作盤１０に設ける場合に、かご内操作盤１０におけるスイッチのレイアウトの変更を行わずに済み、かつ、乗かご１から昇降路側に突出するかご内操作盤１０の寸法の調整を行わずに済む。
【００４１】
本実施形態に係るエレベータ乗かご内監視装置２０において、記録装置５０の筐体５１下端部５１ｂには、電力入力ケーブル６１、撮影信号入力ケーブル６２、異常信号出力ケーブル６３、第１映像データ出力ケーブル７１、第２映像データ出力ケーブル７２が設けられている。これにより、本実施形態に係るエレベータ乗かご内監視装置２０は、コネクタ６１ａ〜６３ａ，７１ａ，７２ａを筐体５１の下端部５１ｂに設ける場合よりも、筐体５１の厚さ寸法の薄型化を図りやすくい。
【００４２】
本実施形態に係るエレベータ乗かご内監視装置２０において、電力入力ケーブル６１、撮影信号入力ケーブル６２、異常信号出力ケーブル６３、第１映像データ出力ケーブル７１、第２映像データ出力ケーブル７２は、異なる長さのケーブルと隣り合って位置する。これにより、本実施形態に係るエレベータ乗かご内監視装置２０は、ケーブル同士の干渉を低減することができ、記録装置５０の筐体５１の横幅の範囲内にケーブル６１〜６３，７１，７２を配置することができる。
【００４３】
本実施形態に係るエレベータ乗かご内監視装置２０において、コネクタ６１ａ〜６３ａは何れもコネクタ７１ａ，７２ａとは形状寸法の異なるものであるとともに、互いに形状寸法が異なるものである。これにより、本実施形態に係るエレベータ乗かご内監視装置２０は、ケーブルの誤接続を防止することができる。
【００４４】
本実施形態に係るエレベータ乗かご内監視装置２０においては、電力入力ケーブル６１と電力出力ケーブル７とのコネクタ６１ａ，７ａによる接続部が、電力出力ケーブル７の最下部よりも高く位置するよう電力入力ケーブル６１の長さが設定されている。また、撮影信号入力ケーブル６２と撮影信号出力ケーブル８とのコネクタ６２ａ，８ａによる接続部が、撮影信号出力ケーブル８の最下部よりも高く位置するよう撮影信号入力ケーブル６２の長さが設定されている。これらにより、本実施形態に係るエレベータ乗かご内監視装置２０は、豪雨等により昇降路内に浸入した水が、電力ケーブル７または撮影信号出力ケーブル８を伝ってコネクタ６１ａ，７ａまたはコネクタ６２ａ，８ａに至ることを防止できる。
【００４５】
本実施形態に係るエレベータ乗かご内監視装置２０において、記録装置５０により扱われる記録媒体はＳＤカード５７であり、記録装置５０に対して着脱可能である。また、記録装置５０は接続端子５４（通信ポート）を有する。したがって、本実施形態に係るエレベータ乗かご内監視装置２０は、ＳＤカード５７を装着可能な電子機器である携帯端末やパソコンなどによって行うことができる機能（映像データの再生、早送り、停止などの機能）を記録装置５０に設けずに済み、これにより、記録装置５０の操作パネルを簡素化および小型化することができる。
【００４６】
本実施形態に係るエレベータ乗かご内監視装置２０において、箱状部３１にはカバー部材９０が設けられているので、記録装置５０の操作パネル（ＳＤカード５７の挿入口５２ａ、イジェクトボタン５５、表示装置５３、接続端子５４）に対する塵埃の付着を低減できるとともに、低速スイッチ１４を操作したり空調スイッチ１５を操作したりする操作者が、誤ってイジェクトボタン５５を押圧操作してしまったり、ＳＤカード５７に接触してしまったりすることを防止できる。
【００４７】
なお、前述の実施形態に係るエレベータ乗かご内監視装置２０において、記録装置５０により扱われる記録媒体はＳＤカード５７であったが、本発明において記録媒体はＳＤカードに限定されるものではなく、ＳＤカード以外のメモリカードでもあってもよい。
【符号の説明】
【００４８】
１  乗かご
１０  かご内操作盤
１０ａ  乗客用操作領域
１０ｂ  関係者用操作領域
１６  扉
２０  エレベータ乗かご内監視装置
３１  箱状部
３１ａ  底部
３１ｂ  窓
３２  取付部
３３  扉
４０  監視カメラ
５０  記録装置
５１  筐体
５１ａ  上端部
５２  カードコネクタ
５２ａ  挿入口
５３  表示装置
５４  接続端子
５５  イジェクトボタン
５７  ＳＤカード
６１  電力入力ケーブル
６１ａ  コネクタ
６２  撮影信号入力ケーブル
６２ａコネクタ
６３  異常信号出力ケーブル
６３ａコネクタ
７１  第１映像データ出力ケーブル
７１ａコネクタ
７２  第２映像データ出力ケーブル
７２ａコネクタ
９０  カバー部材
【図１】
2014210629.tif 000003
【図２】
2014210629.tif 000004
【図３】
2014210629.tif 000005
【図４】
2014210629.tif 000006